(57)【要約】  透明な密閉容器内で植物を栽培する方法および使用する基質を提供し、前記基質は、主に透明な栄養剤とこの栄養剤に添加されたジェランガムで混合凝固するように形成され、前記栄養剤に添加した前記ジェランガムの量は、２〜１０g/Lであって、しかも、前記基質のｐＨ値は、３.５〜１０.０となる。ジェランガム（ＧｅｌｌａｎＧｕｍ）を単一な透明凝固剤とし、それにより、透明基質の均一性および透明性を確保できており、しかも、ジェランガム（ＧｅｌｌａｎＧｕｍ）の良好な接着性も利用され、本発明による基質は、透明な密閉容器内にしっかり接着することができる。実験テストによると、本発明による基質は、透明な密閉容器内でルーチンの揺れの状態では滑りや飛散を起こさず、そして、透明な密閉容器内で完全に反転にすると、3-10分ぐらい落ちないことを保つことができる。【特許請求の範囲】
【請求項１】
透明な密閉容器内で植物を栽培するために使用する基質であって、前記基質は、主に透明な栄養剤とこの栄養剤に添加されたジェランガムで混合凝固するように形成され、前記栄養剤に添加した前記ジェランガムの量は、２〜１０g/Lであって、しかも、前記基質のｐＨ値は、３.５〜１０.０となることを特徴とする、透明な密閉容器内で植物を栽培するために使用する基質。
【請求項２】
前記栄養剤は、混合して溶解する不純物を含まない透明な水と、培地と、植物成長に必要な成長ホルモンおよび炭水化物源とを含み、すべての物質は、溶解後の溶液が透明状となることを保証することを特徴とする請求項１に記載の透明な密閉容器内で植物を栽培するために使用する基質。
【請求項３】
透明な密閉容器内での前記基質の厚さは、１〜１０mmとなることを特徴とする請求項１または２に記載の透明な密閉容器内で植物を栽培するために使用する基質。
【請求項４】
透明な密閉容器内で植物を栽培する方法であって、以下の手順で実現する：
S１：透明な容器を選択する：開口部のある透明な容器を選んで、しかも前記開口は、封止栓を備えており；
S２：基質の準備であって；
S２１：植物を栽培するために透明状の栄養剤にジェランガムを添加することで作られた基質であって、栄養剤に添加された前記ジェランガムの添加量は、２〜１０ｇであって、そして、透明な液体基質が得られ、しかも基質のｐＨを３.５〜１０.０に調整しており；
S２２：ステップS２１で得られた液体基質を透明な容器に入れ、それによって、封止栓によって、透明容器の開口を閉じており；。
S２３：１２２±２℃および１.０６±０.０２Ｋｇ/ｃｍ２の圧力で、ステップS２２で得られた透明容器を１５〜４０分間滅菌した後、室温まで冷却して、その液体の基質が凝固するのを待つ；
S２４：ステップS２３で得られた滅菌済みの透明容器は、２０〜２５℃、ＲＨ３０〜５０％、５〜２０μmol/ｍ２/ｓで接着処理を行って、５〜１４日の後、基質と透明な容器を一体として接着して相対的にスライドせず、全体の接着処理過程中に、透明容器を通常の使用方向に合わせて直立させ；
S３：無菌植物の栽培：無菌環境では、封止栓を開けて、無菌環境下で生きた無菌植物苗または無菌種子は、透明な容器の開口を通して凝固した基質で栽培され、栽培している時、植物の成長方向によって栽培し、植物の基質と容器との協調を保証して、最後に、封止栓を差し込み、全ての栽培プロセスが滅菌環境で行われることを確認する；
S４：無菌植物の培養：栽培して生きた無菌植物苗または無菌種子の透明な容器を温度２０〜３７℃、湿度ＲＨ３０〜７０％、光強度１０〜２００μmol/ｍ２/ｓの環境に置いて、培養サイクルが、２-６週間であって、植物が新しい葉を育て、新しい根が成長し、植物が基質と一致して、全体透明栽培の基質成長がよく強い観賞性を有することを特徴とする、透明な密閉容器内で植物を栽培する方法
【請求項５】
前記栄養剤は、混合して溶解する不純物を含まない透明な水と、培地と、植物成長に必要な成長ホルモンおよび炭水化物源とを含み、すべての物質は、溶解後の溶液が透明状となることを保証することを特徴とする請求項４に記載の透明な密閉容器内で植物を栽培する方法。
【請求項６】
透明な密閉容器内での前記基質の厚さは、１〜１０mmとなることを特徴とする請求項４または５に記載の透明な密閉容器内で植物を栽培する方法。
【発明の詳細な説明】
【技術分野】
【０００１】
本発明は、植物を栽培する方法および使用する基質に関し、特に、透明な密閉容器内で植物を栽培する方法および使用する基質に関する。
【背景技術】
【０００２】
鉢植えの植物は、私たちのために狭い個人空間では、屋外の自然景観を作り、従って、私たちは、緊張な日常生活においても、自然環境に生きているように感じる。
【０００３】
技術水準の向上に伴い、今、透明な密閉容器内に栽培する植物が、見つけられていて、水分補給や他のケアが全く必要がないため、ますます多くの人々が好きになっている。装飾性を向上させるために、透明な密閉容器内で植物を栽培するために使用される基質は、一般に透明な基質を採用しており、もしカラギーナンまたは寒天などのコロイドが透明な栄養剤とを凝縮によって形成された透明な基質を採用する場合、これらの透明な基質の密着性はより悪くなるため、透明な密閉容器にしっかりと吸着できない。輸送中に、基質が移動または散乱するため、透明な密閉容器内にある植物を損傷させやすく、実用性が低くなって、応用を広く促進できない。透明な基質の密着性を向上させるために、透明な基質に各種のコロイドを添加したりまたは他の接着剤をコロイド中に混入したりすることによって、透明な基質の透明性と均一性が低下して、さらに、装飾性に影響する。
【発明の開示】
【発明が解決しようとする課題】
【０００４】
本発明の目的は、透明な密閉容器内で植物を栽培する方法を提供し、本発明の方法を通って、透明な基質が高い透明性と均一性の基礎的条件を満たし、また良好な粘度を有し、透明な密閉容器にしっかりと接着することができる。
【０００５】
本発明の他の目的は、透明な密閉容器内で植物を栽培するために使用する基質を提供し、それは、透明な基質が高い透明性と均一性の基礎的条件を満たしまた良好な粘度を有し、透明な密閉容器にしっかりと接着することができる。
【課題を解決するための手段】
【０００６】
上記目的を実現するために、本発明は、以下の技術方案を採用する；
透明な密閉容器内で植物を栽培するために使用する基質は、主に透明な栄養剤とこの栄養剤に添加されたジェランガムで混合凝固するように形成されて、前記栄養剤に添加した前記ジェランガムの量は、２〜１０g/Lであって、しかも、前記基質のｐＨ値は、３.５〜１０.０となる。
【０００７】
前記栄養剤は、混合して溶解する不純物を含まない透明な水と、培地と、植物成長に必要な成長ホルモンおよび炭水化物源とを含み、すべての物質は、溶解後の溶液が透明状となることを保証する。
【０００８】
透明な密閉容器内での前記基質の厚さは、１〜１０mmとなる。
【０００９】
透明な密閉容器内で植物を栽培する方法は、以下の手順で実現する：
S１：透明な容器を選択する：開口部のある透明な容器を選んで、しかも前記開口は、封止栓を備える；
S２：基質準備；
S２１：植物を栽培するために透明状の栄養剤にジェランガムを添加することで作られた基質であって、栄養剤に添加された前記ジェランガムの添加量は、２〜１０ｇであって、そして、透明な液体基質が得られ、しかも基質のｐＨを３.５〜１０.０に調整する；
S２２：ステップS２１で得られた液体基質を透明な容器に入れて、それによって、透明な容器に入られた液体基質の厚さは、１〜１０ｍｍとならせ、そして、封止栓によって、透明容器の開口を閉じる。
S２３：１２２±２℃および１.０６±０.０２Ｋｇ/ｃｍ２の圧力で、ステップS２２で得られた透明容器を１５〜４０分間滅菌した後、室温まで冷却して、その液体の基質が凝固するのを待つ。
S２４：ステップS２３で得られた滅菌済みの透明容器は、２０〜２５℃、ＲＨ３０〜５０％、５〜２０μmol/ｍ２/ｓで接着処理を行い、５〜１４日の後、基質と透明な容器を一体に接着して相対的にスライドせず、全体の接着処理過程中に、透明容器を通常の使用方向に合わせて直立させる；
S３：無菌植物の栽培：無菌環境では、封止栓を開けて、無菌環境下で生きた無菌植物苗または無菌種子は、透明な容器の開口を通して凝固した基質において栽培されるのであって、栽培している時、植物の成長方向に従って栽培し、植物が基質と容器との協調を保証し、最後に、封止栓を差し込み、全ての栽培プロセスが滅菌環境で行われることを確認する；
S４：無菌植物の培養：栽培して得られた無菌植物苗または無菌種子の透明な容器を温度２０〜３７℃、湿度ＲＨ３０〜７０％、光強度１０〜２００μmol/ｍ２/ｓの環境に置く。培養サイクルは、２-６週間であり、植物が新しい葉を育て、新しい根が成長し、植物が基質と一致して、全体透明栽培の基質成長がよい状態をえる。これは強い観賞性を有する。
【００１０】
ジェランガム（ＧｅｌｌａｎＧｕｍ）は、初めて１９８０年代にアメリカのKelco会社によって微生物食用ガムとして開発されたもので、シュードモナス・セレノデン（Pseudomonaseloden）によって中性条件下で、グルコースを炭素源、硝酸アンモニウムを窒素源として、無機塩で形成した培養基に、好気性発酵によって産生された細胞外多糖類ガムである。ジェランガム（ＧｅｌｌａｎＧｕｍ）は、一般に食品の食感を高めるために食品添加物として使用され、植物栽培に応用されることもあが、植物栽培の応用には、植物が必要とする栄養素として使用される。
【発明の効果】
【００１１】
本発明は、透明な密閉容器内で植物を栽培する方法および使用する基質を提供し、それは、ジェランガム（ＧｅｌｌａｎＧｕｍ）を単一な透明凝固剤として使い、透明基質の均一性および透明性を確保でき、しかも、ジェランガム（ＧｅｌｌａｎＧｕｍ）の良好な接着性も利用されえ、本発明による基質は、透明な密閉容器内にしっかり接着することができる。実験のテスト結果によると、本発明による基質は、透明な密閉容器内でルーチンの揺れの状態では滑りや飛散を起こさず、そして、透明な密閉容器内で完全に反転にすると、3-10分ぐらい落ちないことを保つことができる。
【発明を実施するための最良の形態】
【００１２】
透明な密閉容器内で植物を栽培するために使用する基質は、主に透明な栄養剤とこの栄養剤に添加されたジェランガムで混合凝固するように形成されており、前記栄養剤に添加した前記ジェランガムの量は、２〜１０g/Lであり、前記基質のｐＨ値は、３.５〜１０.０となる。
【００１３】
前記栄養剤は、混合して溶解する不純物を含まない透明な水と、培地と、植物成長に必要な成長ホルモンおよび炭水化物源とを含み、また、植物に必要な窒素、リン、カリウムなどの栄養素や肥料などを添加することもでき、溶解後の溶液が透明状となることを保証する。
【００１４】
前記の基質には、もしEC値（可溶性塩類の含有量）が0.5mS/cmの未満であれば、または脱イオン水の状態量であれば、ジェランガム（ＧｅｌｌａｎＧｕｍ）の添加量は、８.０〜１０.０ｇ /Lである。もしEC値３．０mS/cmより高くなれば、ジェランガム（ＧｅｌｌａｎＧｕｍ）の添加量は、２．０〜５．０ｇ/Lであって、最も好ましくは３.０〜４.０ｇ/Lの量で添加される。
【００１５】
植栽の必要に応じて、透明な密閉容器内での基質の厚さは、１〜１０ｍｍである。
【００１６】
透明な密閉容器内で植物を栽培する方法は、以下の手順で実現する：
S１：透明な容器を選択する：
ガラスとプラスチックで作られた密閉の透明容器を選び、この透明容器は、高温で滅菌又は物理的若しくは化学的で滅菌した後、変形されず、固定形状を維持する。しかも、その透明な容器は、開口を有し、その開口は、封止栓を備える；
透明容器は、透明容器底部の１/４のより高い処に設けれ、開口を透明容器の上部に配置することができ、開口の直径は、１０〜５０ｍｍであって、封止栓は、木材、綿、プラスチックなどを選んで製造される。
S２：基質の準備；
S２１：透明で不純物を含まない水（脱イオン水、滅菌水、精製水または透明な水道水、深井の水、河川水など）を固定剤として、指定容積の2/3ぐらいまで加え、次に、成長培地と植物成長ホルモンと糖源を加え、一緒に混ぜ合わせて溶解し、また、植物に必要な窒素、リン、カリウムなどの栄養素や肥料などを添加することもでき、溶解後の溶液が透明状となって、それにより透明状の栄養剤を得られることを保証する。
S２２：ステップS２１で得られた透明状の栄養剤にジェランガム（ＧｅｌｌａｎＧｕｍ）を入れて植物栽培に使用される基質を作る。栄養剤にあるジェランガム（ＧｅｌｌａｎＧｕｍ）の添加量は、２〜１０ｇ/Lであって、そして、液体の基質が得られ、さらに、1N HClまたは1N NaOHで基質のｐＨ値を３.５〜１０.０に調整して、しかも定容する。
前記の基質には、もしEC値（可溶性塩類の含有量）が0.5mS/cmの未満であれば、または脱イオン水の状態量であれば、ジェランガム（ＧｅｌｌａｎＧｕｍ）の添加量は、８.０〜１０.０ｇ/Lである。もしEC値３．０mS/cmより高くなれば、ジェランガム（ＧｅｌｌａｎＧｕｍ）の添加量は、２〜５ｇ/Lであって、最も好ましくは３〜４ｇ/Lの量で添加される。
S２２：ステップS２１で得られた液体の基質を透明容器に入れ、それによって、透明容器にある液体の基質の厚さが１〜１０ｍｍであって、そして、封止栓によって、透明容器の開口を封止して、透明容器を上方に配置させて、液体な栄養物の流出を防止する。
S２３：１２２±２℃および１.０６±０.０２Kｇ/ｃｍ２の圧力で、ステップS２２で得られた透明容器を１５〜４０分間滅菌した後、室温まで冷却して、その液体の基質が凝固するのを待つ。
S２４：ステップS２３で得られた滅菌済みの透明容器は、２０〜２５℃、RH３０〜５０％、５〜２０μmol/ｍ２/ｓで接着処理を行って、５〜１４日の後、基質と透明な容器を一体として接着して相対的にスライドせず、全体の接着処理過程中に、透明容器を通常の使用方向に合わせて直立させる；
S３：無菌植物の栽培：
無菌環境では、封止栓を開けて、無菌環境下で生きた無菌植物苗または無菌種子は、透明な容器の開口を通して凝固した基質で栽培される。栽培している時、植物の成長方向によって栽培し、植物の基質と容器との協調を保証して、最後に、封止栓を差し込み、全ての栽培プロセスが滅菌環境で行われることを確認する；
S４：無菌植物の培養：
栽培して生きた無菌植物苗または無菌種子の透明な容器を温度２０〜３７℃、湿度ＲＨ３０〜７０％、光強度１０〜２００μmol/ｍ２/ｓの環境に置いて、培養サイクルが、２-６週間であって、植物が新しい葉を育て、新しい根が成長し、植物が基質と一致して、全体透明栽培の基質成長がよい。それは強い観賞性を有する。
【００１７】
本発明は、透明な密閉容器内で植物を栽培する方法および使用する基質を提供し、それは、ジェランガム（ＧｅｌｌａｎＧｕｍ）を単一な透明凝固剤として、したがって、透明基質の均一性および透明性を確保でき、しかも、ジェランガム（ＧｅｌｌａｎＧｕｍ）の良好な接着性も利用され、本発明による基質は、透明な密閉容器内にしっかり接着することができる。実験テストによると、本発明による基質は、透明な密閉容器内でルーチンの揺れの状態では滑りや飛散を起こさず、そして、透明な密閉容器内で完全に反転にすると、3-10分ぐらい落ちないことを保つことができる。
【００１８】
本発明の方法によって栽培を行うことにより、均一な透明基板と透明容器は相互に合わせてえられた、植物を栽培する透明な密閉容器は、室温条件に置いて、６〜２４ヶ月まで鑑賞でき、そして、植物の成長過程の全体成長を直接観察することができ、それは、家庭やオフィスでの理想的な鑑賞品である。
【手続補正書】
【提出日】平成30年6月8日(2018.6.8)
【手続補正１】
【補正対象書類名】特許請求の範囲
【補正対象項目名】全文
【補正方法】変更
【補正の内容】
【特許請求の範囲】
【請求項１】
透明な密閉容器内で植物を栽培する方法であって、以下の手順で実現する：
S１：透明な容器を選択する：開口部のある透明な容器を選んで、しかも前記開口は、封止栓を備えており；
S２：基質の準備であって；
S２１：植物を栽培するために透明状な栄養剤にジェランガムを添加することで作られた基質であって、栄養剤に添加された前記ジェランガムの添加量は、２〜１０ｇであり、そして、透明な液体基質が得られ、しかも基質のｐＨを３.５〜１０.０に調整しており；
S２２：ステップS２１で得られた液体基質を透明な容器に入れ、封止栓によって、透明容器の開口を閉じており；。
S２３：１２２±２℃および１.０６±０.０２Ｋｇ/ｃｍ２の圧力で、ステップS２２で得られた透明容器を１５〜４０分間滅菌した後、室温まで冷却し、その液体の基質が凝固するのを待ち；
S２４：ステップS２３で得られた滅菌済みの透明容器は、２０〜２５℃、ＲＨ３０〜５０％、５〜２０μmol/ｍ２/ｓで接着処理を行い、５〜１４日の後、基質と透明な容器を一体として接着して相対的にスライドせず、全体の接着処理過程中に、透明容器を通常の使用方向に合わせて直立させており；
S３：無菌植物の栽培：無菌環境では、封止栓を開けて、無菌環境下で生きた無菌植物苗または無菌種子は、透明な容器の開口を通して凝固した基質にて栽培され、栽培している時、植物の成長方向によって栽培し、植物の基質と容器との協調を保証し、最後に、封止栓を差し込み、全ての栽培プロセスが滅菌環境で行われることを確認する；
S４：無菌植物の培養：栽培して生きた無菌植物苗または無菌種子の透明な容器を温度２０〜３７℃、湿度ＲＨ３０〜７０％、光強度１０〜２００μmol/ｍ２/ｓの環境に置き、培養サイクルが、２-６週間であって、植物が新しい葉を育て、新しい根が成長し、植物が基質と一致して、全体透明栽培の基質成長がよく強い観賞性を有することを特徴とする、透明な密閉容器内で植物を栽培する方法。
【請求項２】
前記栄養剤は、混合して溶解する不純物を含まない透明な水と、培地と、植物成長に必要な成長ホルモンおよび炭水化物源とを含み、すべての物質は、溶解後の溶液が透明状となることを保証することを特徴とする請求項１に記載の透明な密閉容器内で植物を栽培する方法。
【請求項３】
透明な密閉容器内での前記基質の厚さは、１〜１０mmとなることを特徴とする請求項１に記載の透明な密閉容器内で植物を栽培する方法。
【請求項４】
透明な密閉容器内での前記基質の厚さは、１〜１０mmとなることを特徴とする請求項２に記載の透明な密閉容器内で植物を栽培する方法。
【国際調査報告】
2018537129.tif 000002
2018537129.tif 000003
2018537129.tif 000004
2018537129.tif 000005
2018537129.tif 000006
2018537129.tif 000007